(57)【要約】【課題】従来の生花使用の祭壇と趣が異なる極めて斬新な葬儀用祭壇を提供する。【解決手段】生花に代えて花弁をあしらった折り花を採用した葬儀用祭壇である。保持部に花弁をあしらった多数の折り花を止着した装飾部と個人の画像等を投影する投影部を設ける。別に準備した投影機によって故人の画像等を投影してそれを目にして会葬者が故人を偲ぶ。【選択図】  図２
2019187915.tif 000002
【特許請求の範囲】
【請求項１】
花弁をあしらった折り花を止着した装飾部と、故人の画像等を投影する投影部と、少なくとも前記装飾部を保持する保持部を有することを特徴とする葬儀用祭壇。
【請求項２】
前記装飾部が前記保持部の中央部に設けられ、前記装飾部の少なくとも一端に前記故人の画像等を投影する投影部が設けられたことを特徴とする請求項１に記載の葬儀用祭壇
【請求項３】
前記故人の画像等を投影する前記投影部が前記保持部の中央部に設けられ、前記投影部の少なくも一端に前記装飾部が設けられたことを特徴とする請求項１に記載の葬儀用祭壇
【請求項４】
前記故人の画像等を投影する投影部が前記保持部となり、前記保持部の一部に前記装飾部が設けられたことを特徴とする請求項１に記載の葬儀用祭壇
【請求項５】
前記折り花が紙製であることを特徴とする請求項１〜４に記載の葬儀用祭壇。
【請求項６】
前記折り花がクラフト紙であることを特徴とする請求項１〜４に記載の葬儀用祭壇。
【発明の詳細な説明】
【技術分野】
【０００１】
本発明は、葬儀用祭壇に関し、生花に代えて花弁をあしらった折り花を採用した斬新な葬儀用祭壇に関する。
【背景技術】
【０００２】
従来、祭壇の背後に故人を偲ばせる背景又は会葬者を和ませる背景を設けるために吊り下げられたスクリーンと、故人を偲ばせる画像又は会葬者をなごませる画像を上記スクリーンに拡大して投影する投影機を備えた葬儀用祭壇が提案されている（特許文献１）。
【先行技術文献】
【特許文献】
【０００３】
【特許文献１】特開２０１１−１６１０８８号公報
【発明の概要】
【発明が解決しようとする課題】
【０００４】
前記の葬儀用祭壇は、舞台（特に中央）にスタンドによって遺影写真が飾られ、遺影写真の回りには段状に生花が飾られて花祭壇がつくられて、その背後にスクリーンが設けられるものであった。
【０００５】
前記の形態の祭壇では生花の入手状況（気候や災害、戦争等）に影響されてしまい、季節に合った生花を入手できなかったり、故人の好んでいた生花を必ずしも準備できないという問題があった。また生花は、リサイクルができず大量の廃棄物となる点でも問題があった。
【０００６】
本発明は、花弁をあしらった折り花を採用して前記従来の生花使用の祭壇と趣が異なる極めて斬新な葬儀用祭壇を提供することを目的とする。
【０００７】
また、高価で再利用が困難な生花に代えて花弁をあしらった折り花を採用することで葬儀費用の低減にも寄与することができる。
【０００８】
さらにまた、生花のように気候や災害等に依存せず、故人が生前に好んでいた花の花弁をあしらった折り花を使用するなど装飾部を自由にデザインすることができる葬儀用祭壇を提供することができる。
【課題を解決するための手段】
【０００９】
前記課題を解決するため、本発明の葬祭用祭壇は、花弁をあしらった折り花を止着した装飾部と、故人の画像等を投影する投影部と、少なくとも前記装飾部を保持する保持部を有することを特徴とする（請求項１）。
【００１０】
本発明で採用される折り花は、茎、葉等が取り払われた花弁をあしらったものである。本発明では、花弁をあしらった折り花を祭壇の背後に見ることができる。したがって、生花を使用しない祭壇としてその趣は極めて斬新である。また、その装飾部のデザインも生花に比べて自由に行える。生花よりも丈夫だからである。
【００１１】
また、前記装飾部に加えて、故人の画像等を投影するための投影部が設けられている。投影は、プロジェクターなどの投影機を使用する。故人の画像等は前記投影部とともに前記折り花を止着した装飾部にも投影することが可能であり会葬者は、故人を偲ぶことができる。
【００１２】
前記保持部は、プロジェクターを投影するスクリーン自体であってもよく、板状の部材であってもよい。
【００１３】
なお、生花のかわりに折り花を使用することで装飾部に個人の画像等を綺麗に投影できる。生花の場合は、それぞれ形状、大きさ、厚みが異なるので、投影部に止着する場合に凹凸ができてしまう。また、止着の際に花びらがとれてしまう恐れがあり、止着が難しい。その結果、装飾部に投影すると影ができてしまい、綺麗な投影ができない。この点、折り花は、ほぼ同じ形状、大きさ、厚みのものを作製できる。また、生花より花びらがとれてしまう恐れが少ないので止着も容易である。従って、装飾部に投影した場合に影ができず、綺麗な投影が可能となる。
【００１４】
本発明の実施の一形態は、前記装飾部が前記保持部の中央部に設けられ、前記装飾部の少なくとも一端に前記故人の画像等を投影する投影部が設けられたことを特徴とする（請求項２）。
【００１５】
本発明で採用される折り花は茎、葉等が取り払われた花弁をあしらったものである。本発明では、花弁をあしらった折り花が祭壇の背後に見ることができる。したがって、生花を使用しない祭壇としてその趣は極めて斬新である。装飾部のデザインも自由にできる。
【００１６】
また、前記装飾部の少なくとも一端に前記投影部を設けることで花弁をあしらった折り花をみつつ、そことは重なり合わない箇所で個人の画像等を投影でき、美しい折り花を見ながら、故人を偲ぶことができる。
【００１７】
本発明の実施の一形態は、前記故人の画像等を投影する前記投影部が前記保持部の中央部に設けられ、前記投影部の端部に前記装飾部が設けられたことを特徴とする（請求項３）。
【００１８】
本発明で採用される折り花は茎、葉等が取り払われた花弁をあしらったものである。本発明では、花弁をあしらった折り花が祭壇の背後に見ることができる。したがって、生花を使用しない祭壇としてその趣は極めて斬新である。また、その装飾部のデザインも自由にできる。
【００１９】
また、前記装飾部の端部に前記投影部を設けることで花弁をあしらった折り花をみつつ、そことは重なり合わない箇所で個人の画像等を投影でき、美しい折り花を見ながら、故人を偲ぶことができる。
【００２０】
本発明の実施の一形態は、前記故人の画像等を投影する投影部が前記保持部となり、前記保持部の一部に前記装飾部が設けられたことを特徴とする（請求項４）。
【００２１】
投影部を保持部とすることで、保持部を別に製作するコストを抑えることができる。また投影部の一部を折り花を止着する装飾部とし、装飾部にも個人の画像等を投影できるので、今までにない斬新な葬儀用の祭壇を提供できる。
【００２２】
本発明の実施の一形態は、前記折り花が紙製であることを特徴とする（請求項５）。
【００２３】
この実施の一形態によれば、市場から各種の色紙を入手して折り花の作成も容易である。また、軽量であり装飾部への止着を容易に行うことができる。
【００２４】
なお、生花のかわりに折り花を使用することで装飾部に個人の画像等を綺麗に投影できる。生花の場合は、それぞれ形状、大きさ、厚みが異なるので、投影部に止着する場合に凹凸ができてしまう。また、花びらがとれてしまう恐れがあり、止着が難しい。その結果、装飾部に投影すると影ができてしまい、綺麗な投影ができない。この点、折り花は、ほぼ同じ形状、大きさ、厚みのものを作製できる。また、生花より花びらがとれてしまう恐れが少ないので止着も容易である。従って、装飾部に投影した場合も投影しても影ができず、綺麗な投影が可能となる。
【００２５】
本発明の実施の一形態は、前記折り花がクラフト紙からなることを特徴とする（請求項６）。
【００２６】
この実施の一形態によれば、クラフト紙が折り花の制作に厚さ、硬さの点で好適であり、同一の形状、大きさ、厚さの折り花を制作できる。また、完成後も容易に変形することがなく完成状態が長く維持されて再利用も可能である。なお、生花のかわりに折り花を使用することで装飾部に個人の画像等を綺麗に投影できる。生花の場合は、それぞれ形状、大きさ、厚みが異なるので、投影部に止着する場合に凹凸ができてしまう。また、花びらがとれてしまう恐れがあり、止着が難しい。その結果、装飾部に投影すると影ができてしまい、綺麗な投影ができない。この点、折り花は、ほぼ同じ形状、大きさ、厚みのものを作製できる。また、生花より花びらがとれてしまう恐れが少ないので止着も容易である。従って、装飾部に投影した場合も投影しても影ができず、綺麗な投影が可能となる。
【発明の効果】
【００２７】
本発明によれば、従来の生花使用の祭壇と趣が異なった極めて斬新な葬儀用祭壇を提供することができる。さらに折り花を用いるので、生花を使用する場合に加え、葬儀費用も低減することができる。また、生花のように入手が天候等に左右されることはないので、安定した葬儀を行うことができる。また、折り花は焼却でき、リサイクルが可能なので基本的にリサイクルができない生花に比べ環境にも優しいというメリットがある。また様々な投影技術を駆使して前記装飾部及び投影部に印象に残る画像を投影して、会葬者に故人を十分に偲んでもらうことができる。また、生花のかわりに折り花を使用することで装飾部に個人の画像等を綺麗に投影できる。
【図面の簡単な説明】
【００２８】
【図１】本発明の一実施例を示し葬儀用祭壇の平面図である。
【図２】本発明の一実施例を示す葬儀用祭壇の正面図である。
【図３】本発明の一実施例を示す側面図である。
【図４】折り花の一実施例を示す正面図である。
【発明を実施するための形態】
【００２９】
以下に、添付図面を参照して本発明を説明する。
図１〜図３において、１は祭壇であり、前記祭壇１は、木工パネルからなる保持部２が設置されている。この保持部２は、一枚の板からなるのでも、複数の板を重ねたものでもよい。保持部２には脚部を設けるなどして、倒れないように床に固定される。脚部にはキャスターを用いるとなおよい。
【００３０】
この保持部２には花弁をあしらった一枚または複数の折り花３が止着された装飾部４が配置される。図１では、投影部の左側の保持部には折り花が省略されているが、投影部の右側と同様に複数の折り花が止着され、装飾部を形成している。
【００３１】
前記装飾部４は、多数の折り花３を垂直状態に支持及び配置するために、好ましくは、必要とする広さの白色の板材を使用する。もちろん白色以外の板材を準備して、それを白色のクロスあるいは紙等で包み込んでもよい。また白色以外の色彩でも問題はない。
【００３２】
そして、前記装飾部４の表面に予め準備した各種の折り花３を多数、止着する。該折り花３の止着は接着剤、留め具、ネジの使用などその方法は問わない。図４は折り花の一例であり、クラフト紙で制作した菊の花弁である。準備される折り花３は、投影を考慮すると白色が望ましいが、着色、種類は限定されない。
【００３３】
なお、前記装飾部４は、映像の投影及び照明を制御することによって幻想的に変化させることができる。
【００３４】
さらに保持部２には投影部５が設けられる。この投影部は、例えば、プロジェクタを投影するスクリーンである。実施例では、保持部２の中心に投影部５が設けられ、その両端に装飾部４が設けられている。前記投影部５は、接着剤、留め具、ネジの使用により前記保持部２に固定するなどの方法によって設けられる。また、投影部５は、前記保持部に固定せずに天井部から吊り下げたりてもよい。
【００３５】
さらに、別にプロジェクター等の投影機（図示せず）が準備される。準備された投影機によって、故人の写真や手紙、動画などの画像等が前記投影部５に投影されてそれらの映像を目にして会葬者が故人を偲ぶことができる。投影は、前記投影部のみならず前記装飾部にも行ってもよい。前記祭壇１の手前位置に焼香台、献花台、位牌が設置される。
【００３６】
なお、投影部５は必ずしも中心に設けられている必要はなく、保持部２の一部（右端部や左端部）に設けることも可能である。また必ずしも専用の投影部５を設ける必要はなく、装飾部４の全部または一部を投影部５としてもよい。
【００３７】
また、装飾部４は、必ずしも保持部２の両端に設けられている必要はなく、装飾部４を中央に設け、その一端又は両端に投影部５を設けることも可能である。保持部の半分を装飾部にして、残りの半分を投影部５にしてもよい。
【００３８】
また、大型のスクリーンを用いるなど、投影部自体を保持部２とし、その保持部２の一分に装飾部４も設け折り花を止着させることもできる。また、装飾部４を保持部２の上部に設け、保持部２の下部に投影部を設けてもよい。また、装飾部４を保持部の下部に設け、保持部２の上部に投影部を設けてもよい。投影部と装飾部の場所の組み合わせは、無数あり、実施例のものには限定されない。
【００３９】
なお、装飾に用いる花は、すべてが折り花である必要はなく、折り花を装飾のメインに使用するのであれば、折り花と生花を組わせてもよい。
【符号の説明】
【００４０】
１  祭壇
３  保持部
３  折り花
４  装飾部
５  スクリーン
６  個人の画像等
【図１】
2019187915.tif 000003
【図２】
2019187915.tif 000004
【図３】
2019187915.tif 000005
【図４】
2019187915.tif 000006